(57)【要約】【解決手段】直状放水と噴霧放水とを切り替え可能の放水ノズル５の筒先部材１６の外側に、筒体２２を前後に摺動可能に取り付け、当該筒体２２の前動時には前記放水ノズル５の放水口２１を覆って前方に延び、後退時には噴霧放水の放射水流が当たらない位置まで後退すると共に、前動時における前記放水口２１の後方の位置の筒体２２に、吸気口２４を形成する。【効果】直状放水と噴霧放水とを切り替え可能な放水ノズル５に、筒体２２を前後動可能に取り付けることにより、直状放水と噴霧放水と泡放水との、三種の放水形態を任意に切り替えることができ、消火活動において燃焼物や燃焼形態に応じて最適の放水形態を選択することができる。【選択図】　　　　　図１
2004008268.tif 000002
【特許請求の範囲】
【請求項１】
直状放水と噴霧放水とを切り替え可能の放水ノズル（５）の筒先部材（１６）の外側に、筒体（２２）を前後に摺動可能に取り付け、当該筒体（２２）の前動時には前記放水ノズル（５）の放水口（２１）を覆って前方に延び、後退時には噴霧放水の放射水流が当たらない位置まで後退すると共に、前動時における前記放水口（２１）の後方の位置の筒体（２２）に、吸気口（２４）を形成したことを特徴とする、消火用ノズル
【請求項２】
水タンク（１）と、請求項１に記載の消火用ノズル（４）と、前記水タンク（１）から消火用ノズル（４）に水を送るポンプ（２６）とを有することを特徴とする、可搬式消火装置
【発明の詳細な説明】
【０００１】
【発明の属する技術分野】
本発明は消火用ノズル及び、当該消火用ノズルを使用した可搬式消火装置に関するものであって、特に直状放水、噴霧放水及び泡放水の三形態の放水形態を切り替えて使用することのできる、消火用ノズル及び可搬式消火装置に関するものである。
【０００２】
【従来の技術】
従来から、種々の形態の可搬式消火装置が使用されている。その一例を図３に基づいて説明すると、人が背中に背負う水嚢１と、人の腰部背部に装着する内部にポンプとそのポンプの動力源とを内蔵した容器２と、放水ノズル３とよりなり、水嚢１内の水を容器２内のポンプで放水ノズル３に送り、当該放水ノズル３を人が把持して放水するものである。また水嚢１内の水を手動式のポンプで放水する形式のものも知られている。
【０００３】
この種の可搬式消火装置は、消防車が進入できないような山地における山火事の消火や、一般火災における初期消火、鎮火後の残火の処理などの目的で広く使用されている。
【０００４】
また特開２０００−１４０１４４号公報に記載されたような、フレーム内に水タンク及び、当該水タンク内の水を放水ノズルに送るポンプや動力源を搭載した形式のものも知られている。
【０００５】
【発明が解決しようとする課題】
ところで一般に火災を消火する際には、消火剤としては水が最も一般的に使用されるが、その水の放水形態としては、火災の形式に応じて種々の形態のうちから適宜選択して放水される。その放水形態を大別すると、直状放水と、噴霧放水と、泡放水とに分けられる。
【０００６】
直状放水は、放水ノズルから真っ直ぐに前方に向かって水を放射する形態であって、遠くまで水を飛ばすことができるため、燃え盛っている燃焼物に大量の水を直撃して、消火するのに適している。
【０００７】
噴霧放水は、放水ノズルから広い角度で霧状の水を放出する形態であって、水を遠くまで飛ばすことはできないが、広い範囲に少量ずつの水を供給するのに適しており、鎮火後の残火処理などに広く使用される。
【０００８】
また泡消火は、放射する水に泡消火剤を混入し、水を発泡させて泡を放出する形態であって、油火災の場合に油性の燃焼物を泡で包んで消火するのに広く使用される。また近年木材火災においても、少量の水で効率よく消火できるため広く使用されている。
【０００９】
一般にスプリンクラーのような固定式の消火設備や、石油コンビナートなどの化学工場における消防設備においては、火災の際に何が燃えるかが予め判っているので、それに適した放水ノズルが設置される。
【００１０】
しかしながら一般の消防署などでは、あらゆる燃焼物及び燃焼形式に対して対応しなければならず、そのため直状放水と噴霧放水とを切り替えて使用できる放水ノズルに、必要に応じて専用のアタッチメントを取り付けて、泡放水に対応することが行われている。
【００１１】
また前述のような可搬式消火装置においても、必要に応じて前記三種の放水形態を切り替えて使用することが求められる。しかしながら直状放水と噴霧放水とは放水ノズルの構造により切り替えて対応することができるが、泡放水の場合は別体のアタッチメントが必要であった。
【００１２】
しかしながら泡放水用のアタッチメントを別体とすると、そのアタッチメントを携帯することが必要となり、緊急時に携帯することを忘れたり紛失したりすることもあり、素早く対応することが困難であった。
【００１３】
本発明はかかる事情に鑑みなされたものであって、単一の消火用ノズルにおいて、直状放水、噴霧放水及び泡放水のいずれにも対応できる消火用ノズル並びに、当該消火用ノズルを使用した可搬式消火装置を提供することを目的とするものである。
【００１４】
【課題を解決するための手段】
而して本発明の消火用ノズルは、直状放水と噴霧放水とを切り替え可能の放水ノズルの筒先部材の外側に、筒体を前後に摺動可能に取り付け、当該筒体の前動時には前記放水ノズルの放水口を覆って前方に延び、後退時には噴霧放水の放射水流が当たらない位置まで後退すると共に、前動時における前記放水口の後方の位置の筒体に、吸気口を形成したことを特徴とするものである。
【００１５】
また本発明の可搬式消火装置は、水タンクと、前記本発明の消火用ノズルと、前記水タンクから消火用ノズルに水を送るポンプとを有することを特徴とするものである。
【００１６】
【発明の実施の形態】
以下本発明の実施の形態を図面に従って説明する。図１は本発明の消火用ノズル４の一例を示すものである。５は放水ノズルであって、その把持部６の後端に送水ホース７が接続されている。
【００１７】
放水ノズル５の操作部８には操作ロッド９が前後に摺動自在に設けられ、ばね１０により前方に付勢されていると共に、操作レバー１１により後方に偏倚せしめられるようになっている。
【００１８】
操作ロッド９の先端にはバルブ１２が形成され、操作ロッド９が前方に偏倚したときには図１（ａ）のようにバルブ１２が閉じ、図１（ｂ）に示すように後方に偏倚することにより、バルブ１２が開くようになっている。
【００１９】
そしてバルブ１２の前部には開口１３が形成され、前記送水ホース７から把持部６内の通水路１４を経由し、操作部８内の空所１５からバルブ１２を経て開口１３に至る、水の通路が形成されている。
【００２０】
また開口１３の前方には、筒先部材１６が取り付けられている。当該筒先部材１６において１７は操作部８の先端に結合された内筒部材であって、当該内筒部材１７の先端には、外周面に螺旋状のリブを形成した噴霧部材１８が結合されている。
【００２１】
そしてその内筒部材１７の外側には外筒部材１９が螺合されており、当該外筒部材１９を内筒部材１７に対して回転することにより、ねじの作用で前後に偏倚し得るようになっている。
【００２２】
また外筒部材１９の先端には筒状の先端部材２０が結合され、当該先端部材２０が前記内筒部材１７の噴霧部材１８の外側に嵌合し、その先端部材２０の先端に放水口２１が形成されている。
【００２３】
そして本発明においては、筒先部材１６の外側に筒体２２が嵌合されている。筒体２２は固定用ねじ２３を締め付けることにより外筒部材１９に固定することができると共に、その固定用ねじ２３を緩めて外筒部材１９に対して前後に摺動し得るようになっている。またその筒体２２には、適宜の数の吸気口２４が穿設されている。
【００２４】
而してその筒体２２は、これを筒先部材１６に対して後方に摺動した状態においては、前記放水口２１が筒体２２の先端から突出し、その放水口２１から放出された水が筒体２２に当たることがないようになっている。また筒体２２を筒先部材１６に対して前方に摺動した状態においては、筒体２２は放水口２１を覆って前方に向かって延びるようになっている。
【００２５】
また本発明の可搬式消火装置は、前記図３に記載したものと同様であって、人が背負う水嚢１と、人の腰部後部に装着する容器２と、人が把持する放水ノズル３とよりなっている。そして本発明においては、放水ノズル３として本発明の消火用ノズル４が使用されている。
【００２６】
そして前記容器２には、図４に示すように前記水嚢１に接続する吸水ホース２５と、放水ノズル３に水を供給する送水ホース７とが接続されており、容器２内には、前記吸水ホース２５から送水ホース７に水を送るポンプ２６と、当該ポンプ２６を駆動するモーター２７と、当該モーター２７の電源としてのバッテリー２８とが収容されている。なおポンプ２６は、この例ではモーター２７により駆動されるが、手動式のポンプであってもよい。
【００２７】
また容器２内の２９は泡消火剤タンクであり、３０は前記ポンプ２６から送水ホース７に送られる水に泡消火剤タンク２９内の泡消火剤を混入するための混合器であり、混合器３０による泡消火剤の混合の有無は容器２外から制御できるようになっている。
【００２８】
【作用】
而して本発明においては、容器２内のバッテリー２８の電力によりモーター２７でポンプ２６を駆動すると、水嚢１内の水はポンプ２６により送水ホース７内に送られる。そして本発明の消火用ノズル４においては、常時はばね１０の弾力により操作ロッド９が前方に摺動して、図１（ａ）に示されるようにバルブ１２が閉ざされている。
【００２９】
この状態で把持部６を把持した手で操作レバー１１を握ることにより、図１（ｂ）に示されるように操作ロッド９がばね１０の弾力に抗して後方に摺動し、バルブ１２が開く。これにより送水ホース７から供給された水は、把持部６内の通水路１４を通り、操作部８の空所１５を経てバルブ１２を通り、筒先部材１６内の水流路３１に流入する。
【００３０】
ここで図１及び図２（ａ）に示される状態においては、筒先部材１６の外筒部材１９は内筒部材１７に深く螺合され、内筒部材１７の噴霧部材１８は先端部材２０内に深く嵌合している。
【００３１】
この状態では水流路３１から先端部材２０内に流入した水は、噴霧部材１８に形成された螺旋状のリブの間を通って回転しながら前進し、その回転力により放水口２１から広角度に拡がって、噴霧状態で放出される。
【００３２】
この状態から外筒部材１９を内筒部材１７に対して回転させ、ねじの作用で外筒部材１９を前進させると、図２（ｂ）に示すように噴霧部材１８は相対的に先端部材２０から後方に抜け出す。
【００３３】
これにより噴霧部材１８の外側の水は回転力を与えられることなく前進し、先端部材２０内をほとんど抵抗なく直進して放水口２１から放出されるため、直状放水が得られる。
【００３４】
また泡消火剤タンク２９から送水ホース７内の水に泡消火剤を混入すると共に、消火用ノズル４を図２（ａ）の状態から、固定用ねじ２３を緩めて筒体２２を筒先部材１６に対して前方に摺動させる。
【００３５】
これにより放水口２１から噴霧状態で放出される水に泡消火剤が混入されると共に、放水口２１から角度をもって放出された水は、図２（ｃ）に示されるように筒体２２の内面に衝突して方向が変り、さらに水滴同士が衝突することにより泡を生じる。
【００３６】
さらに放水口２１から放出される水の勢いによって吸気口２４から空気が吸入され、水流と空気の圧力によって泡は前方に押され、筒体２２の先端から泡が放出され、泡放水が得られるのである。
【００３７】
なお、泡放水のみが必要であることが明らかな場合には、水嚢１内の水に予め泡消火剤を混入しておくことも可能であり、その場合には泡消火剤タンク２９及び混合器３０は必ずしも必要ではない。
【００３８】
【発明の効果】
本発明によれば、直状放水と噴霧放水とを切り替え可能な放水ノズル５に、筒体２２を前後動可能に取り付けることにより、直状放水と噴霧放水と泡放水との、三種の放水形態を任意に切り替えることができ、消火活動において燃焼物や燃焼形態に応じて最適の放水形態を選択することができる。
【００３９】
また従来の泡放水に切り替え可能の放水ノズルは、本発明における筒体２２に相当するアタッチメントを着脱することにより切り替えるようになっており、アタッチメントを携行し忘れたり、紛失したりすることがあったが、本発明においては筒体２２を摺動可能に取り付けることにより、泡放水への切り替えを可能としているので、携行忘れや紛失の恐れがない。
【００４０】
また本発明の可搬式消火装置においては、放水ノズルとして前述の本発明の消火用ノズル４を使用しているので、簡単な構造で前記三種の放水形態に切り替えることができ、消防車や活動拠点から遠く離れた箇所においても、別部材を必要とすることなく任意の放水形態を選択することができる。
【図面の簡単な説明】
【図１】本発明の消火用ノズルの一例を示すものであって、（ａ）は放水を停止した状態を示し、（ｂ）は放水状態を示す。
【図２】図１の消火用ノズルにおける放水形態を示すものであって、（ａ）は噴霧放水、（ｂ）は直状放水、（ｃ）は泡放水の状態を示す。
【図３】可搬式消火装置の一例を示す側面図
【図４】図３の可搬式消火装置における容器の縦断面図
【符号の説明】
１　水嚢
２　容器
４　消火用ノズル
５　放水ノズル
１６　筒先部材
２１　放水口
２２　筒体
２４　吸気口
２６　ポンプ
【図１】
2004008268.tif 000003
【図２】
2004008268.tif 000004
【図３】
2004008268.tif 000005
【図４】
2004008268.tif 000006